(57)【要約】【課題】蓋と本体のネジ止め構造を提案する。【解決手段】蓋と本体とのうちの一方である第１部材はナットを収納するナット収納部を有し、蓋と本体とのうちの他方である第２部材はネジを支持するネジ支持部を有し、ナット収納部は、ナットの１つの側面と、ネジ穴の向きと平行なｎ個の辺のうちの１つの側面と最も離れた辺と、の最短距離に相当する間隔で設けられた互いに対向する一対の第１固定部であって、それぞれの第１固定部は、ナットの収納空間を挟んで対向する他方の第１固定部に向かって突出する凸部を有し、凸部の外側から収納空間にナットが押し込まれたときに、間隔が広がってナットの挿入を可能にするスナップフィット構造を有する第１固定部を備え、第２部材は、本体に蓋が閉められたときに、第１固定部の収納空間の反対側に嵌合し、第１固定部の間隔が広がらないように押さえる押さえ部材を有する。【選択図】図１０
2018170433.tif 000002
【特許請求の範囲】
【請求項１】
セキュリティボックスであって、
蓋と、
本体と、
を備え、
前記蓋と前記本体とのうちの一方である第１部材はｎ角（ｎは３以上の整数）のナットを収納するナット収納部を有し、
前記蓋と前記本体とのうちの他方である第２部材はネジを支持するネジ支持部を有し、
前記ナット収納部は、
前記ナットのｎ個の側面のうちの１つの側面と、前記ナットのネジ穴の向きと平行なｎ個の辺のうちの前記１つの側面と最も離れた辺と、の最短距離に相当する間隔で設けられた互いに対向する一対の第１固定部であって、それぞれの第１固定部は、前記ナットが収納される収納空間を挟んで対向する他方の第１固定部に向かって突出する凸部を有し、前記凸部の外側から前記収納空間に前記ナットが押し込まれたときに、前記一対の第１固定部の間隔が広がって前記ナットの挿入を可能にするスナップフィット構造を有する一対の第１固定部を備え、
前記第２部材は、前記本体に前記蓋が閉められたときに、前記一対の第１固定部の前記収納空間の反対側に嵌合して、前記一対の第１固定部の間隔が広がらないように外側から押さえる押さえ部材を有する、
セキュリティボックス。
【請求項２】
請求項１に記載のセキュリティボックスであって、
前記ｎは偶数であり、
前記一対の第１固定部は、前記ナットの二面幅に相当する間隔で設けられている、
セキュリティボックス。
【請求項３】
請求項１または２に記載のセキュリティボックスであって、
前記凸部は、前記収納空間と反対側に、前記収納空間に収納される前の前記ナットを載置するためのナット載置部を備える、
セキュリティボックス。
【請求項４】
請求項３に記載のセキュリティボックスであって、
前記ナット載置部は、前記ナットの形状に嵌合する凹形状を有している、
セキュリティボックス。
【請求項５】
請求項１から請求項４のいずれか一項に記載のセキュリティボックスであって、
前記ナット収納部は、さらに、ネジ穴の方向において、前記収納空間を挟むように設けられた第２固定部を有する、
セキュリティボックス。
【請求項６】
請求項１から請求項５のいずれか一項に記載のセキュリティボックスにおいて、
前記一対の第１固定部は、前記収納空間と反対側の基部にリブを有する、
セキュリティボックス。
【請求項７】
請求項１から請求項６のいずれか一項に記載のセキュリティボックスにおいて、
前記第１部材は、さらに、前記本体に前記蓋が閉められたときに、前記第１固定部とともに前記押さえ部材を挟む第３固定部を有する、
セキュリティボックス。
【発明の詳細な説明】
【技術分野】
【０００１】
本発明は、セキュリティボックスに関する。
【背景技術】
【０００２】
壁面に固定されるセキュリティ用通信装置（セキュリティボックス）が知られている。セキュリティボックスは、本体と蓋とを有し、本体と蓋とは、ネジで留められる。ネジの受け部は、樹脂で構成されている。
【先行技術文献】
【特許文献】
【０００３】
【特許文献１】特開２０１６−１２６３９６号公報
【発明の概要】
【発明が解決しようとする課題】
【０００４】
セキュリティボックスを小さくしたいというニーズがある。しかしながら、セキュリティボックスを小さくすると、セキュリティボックス内のスペースに余裕が無くなるため、蓋を止める機構（ネジによる結合構造部の大きさ）をなるべく小さくしたい。ここで、樹脂でネジの受け部を作成する構成を採用した場合、ネジの開け閉め回数が増えると、樹脂が磨耗してネジが外れやすくなる問題があった。そこで、市販の汎用のネジやナットを使用し、製造の容易性／コストを満足できる小型の蓋止め機構を提案する。
【課題を解決するための手段】
【０００５】
本発明は、上述の課題の少なくとも一部を解決するためになされたものであり、以下の形態として実現することが可能である。
【０００６】
（１）本発明の一形態によれば、セキュリティボックスが提供される。このセキュリティボックスは、蓋と、本体と、を備える。前記蓋と前記本体とのうちの一方である第１部材はｎ角（ｎは３以上の整数）のナットを収納するナット収納部を有し、前記蓋と前記本体とのうちの他方である第２部材はネジを支持するネジ支持部を有し、前記ナット収納部は、前記ナットのｎ個の側面のうちの１つの側面と、前記ナットのネジ穴の向きと平行なｎ個の辺のうちの前記１つの側面と最も離れた辺と、の最短距離に相当する間隔で設けられた互いに対向する一対の第１固定部であって、それぞれの第１固定部は、前記ナットが収納される収納空間を挟んで対向する他方の第１固定部に向かって突出する凸部を有し、前記凸部の外側から前記収納空間に前記ナットが押し込まれたときに、前記一対の第１固定部の間隔が広がって前記ナットの挿入を可能にするスナップフィット構造を有する一対の第１固定部を備え、前記第２部材は、前記本体に前記蓋が閉められたときに、前記一対の第１固定部の前記収納空間の反対側に嵌合して、前記一対の第１固定部の間隔が広がらないように外側から押さえる押さえ部材を有する。
ネジで留めるときには、ネジの回転によりナットが回転し、一対の第１固定部の間隔を広げるため、ナットが収納空間から外れるおそれがある。この形態によれば、蓋が閉められると、ナットの回転により一対の第１固定部の間隔が広がらないように、第２部材の押さえ部材が押さえるため、一対の第１固定部の間隔が広がらずナットが外れにくい。また、蓋が閉められていない場合には、第１固定部がスナップフィット構造を有し、第２部材の押さえ部材が第１固定部を押さえないため、第１固定部が広がり、ナットをナット収納部に収納しやすい。また、ネジやナットとして市販されている汎用のネジやナットを使用できるので製造が容易でありコストも満足できる。
【０００７】
（２）上記形態において、前記ｎは偶数であり、前記一対の第１固定部は、前記ナットの二面幅に相当する間隔で設けられていてもよい。
この形態によれば、ｎが偶数なので、ナットの側面と第１固定部の収納空間側の面とを略平行にでき、ナットを一対の第１固定部によって安定にできる。なお、二面幅の大きさは、ｎ個の側面のうちの１つの側面と、前記ナットのネジ穴の向きと平行なｎ個の辺のうちの前記１つの側面と最も離れた辺との最短距離と等しい。
【０００８】
（３）上記形態において、前記凸部は、前記収納空間と反対側に、前記収納空間に収納される前の前記ナットを載置するためのナット載置部を備えていてもよい。
この形態によれば、ナットを収納空間に挿入する前のナットをナット載置部に載置できるので、その後ナットを収納挿入し易く、特にナットが小さい場合には、ナットを無くしにくい。
【０００９】
（４）上記形態において、前記ナット載置部は、前記ナットの形状に嵌合する凹形状を有していてもよい。
第１固定部に対しナットの側面が合わせやすくなるので、意図しない向きでナットが固定されることが抑制できる。
【００１０】
（５）上記形態において、前記ナット収納部は、さらに、ネジ穴の方向において、前記収納空間を挟むように設けられた第２固定部を有してもよい。
この形態によれば、ネジを留めるとき、あるいはネジを外すときに、ナットがネジ穴に沿った方向に移動することを抑制できる。
【００１１】
（６）上記形態において、前記一対第１固定部は、前記収納空間と反対側の基部にリブを有してもよい。
この形態によれば、一対の第１固定部は、収納空間と反対側の基部にリブを有しているので、収納空間と反対側に広がりにくい。
【００１２】
（７）上記形態において、前記第１部材は、さらに前記本体に前記蓋が閉められたときに、前記第１固定部とともに前記押さえ部材を挟む第３固定部を有してもよい。
この形態によれば、第３固定部で押さえ部が広がるのを押さえるので、さらにナットを外れ難くできる。
【００１３】
なお、本発明は、種々の形態で実現することが可能であり、例えば、セキュリティボックスの他、セキュリティボックスのネジ止め構造等の形態で実現することができる。
【図面の簡単な説明】
【００１４】
【図１】セキュリティボックスの外観を示す説明図である。
【図２】セキュリティボックスの蓋を開けたときを示す説明図である。
【図３】セキュリティボックスを斜め下方から見た時の外観を示す説明図である。
【図４】図３の４−４断面を示す説明図である。
【図５】ナットと、ナット収納部の概略構成を示す説明図である。
【図６】図５の状態でナットをナット載置部に載置した状態を示す説明図である。
【図７】ナットを収納空間に挿入した状態を示す説明図である。
【図８】図６と図７の状態を、ネジ穴の方向（ｙ方向）から見た図である。
【図９】蓋を開けたときのナット収納部近傍の構成を示す説明図である。
【図１０】蓋を閉めたときのナット収納部近傍の構成を示す説明図である。
【図１１】第２実施形態におけるナットと、ナット収納部の概略構成を示す説明図である。
【図１２】第２実施形態における蓋２００を閉めたときのナット収納部１０５近傍の構成を示す説明図である。
【発明を実施するための形態】
【００１５】
・第１実施形態：
図１は、セキュリティボックス１０の外観を示す説明図である。セキュリティボックス１０は、認証装置を収納し、例えばドアの近傍の壁２０に取り付けられる小型のボックスである。セキュリティボックス１０は、本体１００と、蓋２００とを備えており、蓋２００は、カード検知部２５０を備える。認証を受ける人が、カードをカード検知部２５０にかざすと、認証が行われ、ドアのロックが解錠される。本実施形態では、セキュリティボックス１０は、カードを検知するカード検知部２５０を備えるが、カード検知部２５０以外の検知部、例えば指紋や、手のひらや指の静脈を用いたバイオメトリック認証をするための検知部を備えても良い。
【００１６】
図２は、セキュリティボックス１０の蓋を開けたときを示す説明図である。図３は、セキュリティボックス１０を斜め下方から見た時の外観を示す説明図である。セキュリティボックス１０は、下部にネジ３００を有し、ネジ３００を緩めることで、蓋２００を開けて、本体１００の内部にアクセスすることができる。本実施形態では、セキュリティボックス１０の上側に蓋２００を回動させるための支点を設け、蓋２００が下から上に開くようになっているが、セキュリティボックス１０の左側または右側に蓋２００を回動させるための支点を設け、蓋２００が左または右に開くようにしてもよい。また、ネジ３００を蓋２００の上下、または左右、あるいは、蓋２００の上下と左右に設け、蓋２００が本体１００から分離するように構成されていてもよい。
【００１７】
図４は、図３の４−４断面を示す説明図である。本実施形態では、ネジ３００は、蓋２００の内側に設けられたネジ支持部２１０によって回転可能に取り付けられている。ネジ支持部２１０は、例えば樹脂で形成されている。ネジ３００は、小さいと無くし易いが、ネジ３００がネジ支持部２１０に取り付けられることで、無くし難くできる。ネジ３００としては、市販の汎用のネジが使用可能である。本実施形態のネジ３００は、「ボルト」とも呼ぶ。
【００１８】
図５は、ナット３１０と、ナット収納部１０５の概略構成を示す説明図である。ナット収納部１０５は、本体１００に形成されており、互いに対向する一対の第１固定部１１０と、互いに対向する２つの第２固定部１２０，１２５とを備える。ナット収納部１０５は、一対の第１固定部１１０と、２つの第２固定部１２０，１２５とに囲われて形成される収納空間１５０に、ナット３１０を収納する。本実施形態においては、ナット３１０として、大きさが数ミリメートル以下の小さな六角ナットが用いられる。六角ナットであれば、市販の汎用のナットが使用可能である。但し、ｎ角（ｎは３以上の整数）のナットであればよい。
【００１９】
２つの第１固定部１１０は、樹脂製の部材であり、ナット３１０の二面幅に相当する間隔で設けられている。六角ナットの場合、ナット３１０の側面を、第１固定部１１０の収納空間１５０側の面と略平行にできるので、第１固定部１１０でナット３１０を安定に保持できる。この点は、ｎが偶数のｎ角のナットでも同様である。第１固定部１１０のそれぞれは、本体１００に固定される基部１１６と、基部１１６の反対側において、対向する他方の第１固定部１１０に向かって突出する凸部１１２を備える。２つの凸部１１２の頂部間の間隔は、ナット３１０における二面幅よりも小さい。そのため、凸部１１２は、収納空間１５０に収納されたナット３１０を、ｚ方向に外れ難くする。凸部１１２の収納空間１５０と反対側（ｚ方向）には、収納空間１５０に収納される前のナット３１０を載置するためのナット載置部１１４が形成されている。ナット載置部１１４は、その上にナット３１０を載置したときに、ナット３１０が安定するようにナット３１０の形状と嵌合する凹んだ凹形状を有している。また、ナット３１０の収納空間１５０への挿入後に、第１固定部１１０に対しナット３１０の側面が合わせやすくなる。ナット載置部１１４は、凹んだ凹形状の他、収納空間１５０と反対側に突出する突起によりナット３１０を挟んで安定化させる形状であっても良い。なお、ナット載置部１１４は無くても良い。基部１１６は、収納空間１５０と反対側にリブ１１８を備えている。リブ１１８を備えることで、第１固定部１１０を広がりにくくできる。ただし、基部１１６は、リブ１１８を備えていなくても良い。また、第１固定部１１０の収納空間１５０と反対側（ｘ方向の外側）には、第１固定部１１０が広がることができる空間が空いている。
【００２０】
２つの第２固定部１２０，１２５は、樹脂製の部材であり、ナット３１０におけるネジ穴３１５の方向（ｙ方向）と垂直な２つの対面の対面間の寸法の間隔で設けられている。２つの第２固定部１２０，１２５の間にナット３１０を嵌め込むことができる。２つの第２固定部１２０，１２５は、ネジ３００のナット３１０への挿入時に、ナット３１０がネジ穴３１５に沿った方向に移動することを抑制する。第２固定部１２０，１２５のｚ方向の高さは、収納空間１５０に収納されたナット３１０のネジ穴３１５にネジ３００が挿入できるように、ネジ穴３１５のｚ方向の位置よりも低い。なお、ネジ穴３１５の方向から見てネジ穴３１５と重ならない位置においては、第２固定部１２０，１２５の高さは、ネジ穴３１５のｚ方向の位置よりも高くても良い。なお本実施形態では、２つの第２固定部１２０，１２５は、形状が少し異なるため、異なる符号を付しているが、同じ形状としてもよい。
【００２１】
図６は、図５の状態でナット３１０をナット載置部１１４に載置した状態を示す説明図である。ナット載置部１１４が設けられていると、図６に示すように、収納空間１５０に収納される前のナット３１０をナット載置部１１４に一旦載置できるので、その後、ナットを収納空間１５０に収納しやすい。特に小さいナット３１０を挿入する場合には、ナット載置部１１４を備えることが好ましい。挿入前のナット３１０を安定させることができ、ナット３１０を無くしにくくできる。
【００２２】
図７は、ナット３１０を収納空間１５０に挿入した状態を示す説明図である。ナット３１０が、凸部１１２の外側からマイナスのｚ方向に押され収納空間１５０に押し込まれると、一対の第１固定部１１０は、ナット３１０に押され、収納空間１５０と反対側（ｘ方向）に変形して一対の第１固定部１１０の間隔が広がりナット３１０を収納空間１５０に収納する。第１固定部１１０は、ナット３１０が収納空間１５０に収納されると、第１固定部１１０の有する弾性により、間隔が広がった状態から元の状態にもどる。第１固定部１１０は、元の状態に戻ると、凸部１１２により、ナット３１０を外れに難くする。すなわち、第１固定部１１０は、ナット３１０を嵌め込んで外れないようにするスナップフィット構造を有する。また、第１固定部１１０の凸部１１２の間隔は、ナット３１０の大きさよりも小さいので、ナット３１０を外そうとする力が加わらない限り、ナット３１０は収納空間１５０から外れない。ナット３１０を収納空間１５０からプラスのｚ方向に移動させると、第１固定部１１０は、ナット３１０に押され、収納空間１５０と反対側（ｘ方向）に広がりナット３１０を収納空間１５０から外すことができる。
【００２３】
図８は、図６と図７の状態を、ネジ穴３１５の方向（ｙ方向）から見た図である。実線がナット３１０をナット載置部１１４に載置した図６の状態であり、破線がナット３１０を収納空間１５０に収納した図７の状態である。ナット３１０が収納空間１５０に挿入されるときに、第１固定部１１０は、一旦矢印で示す方向（ｘ方向）に広がり、ナット３１０の収納後、元の状態に戻る。また、第１固定部１１０が有するスナップフィット構造により収納空間１５０に収納されたナット３１０は、凸部１１２により、収納空間１５０から外れにくい。
【００２４】
図９は、蓋２００を開けたときのナット収納部１０５近傍の構成を示す説明図である。図１０は、蓋２００を閉めたときのナット収納部１０５近傍の構成を示す説明図である。図９、１０では、説明の都合上、ネジ３００、ネジ支持部２１０及び手前側の第２固定部１２０を図示していない。蓋２００は、樹脂製の押さえ部材２３０を有する。押さえ部材２３０は、２つの第１固定部１１０をｘ方向の両側から挟みこむことができる間隔で設けられている。蓋２００が閉められると、図１０に示すように、第１固定部１１０を、凸部１１２の反対側（ｘ方向）から挟むような位置に嵌合する。押さえ部材２３０は、蓋２００が閉められると、本体１００の第１固定部１１０が収納空間１５０（図５等）と反対側（ｘ方向）に広がらないように、第１固定部１１０の外側（ｘ方向）から押さえる。押さえ部材２３０がない場合には、ネジ３００の回転でナット３１０が回転し、第１固定部１１０をｘ方向に広げる。その結果、ナット３１０が、収納空間１５０から外れてしまうおそれがある。これに対し、押さえ部材２３０があると、ネジ３００をナット３１０のネジ穴３１５に挿入するときに、ネジ３００の回転でナット３１０が回転して、第１固定部１１０をｘ方向に広げようとしても、押さえ部材２３０によって、一対の
第１固定部１１０の間隔は広がらない。そのため、ネジ３００を留めるときに、ナット３１０を収納空間１５０から外れ難くできる。
【００２５】
蓋２００が開けられると、押さえ部材２３０は、図９に示すように、蓋２００とともに移動し、第１固定部１１０の凸部１１２と反対側に位置しなくなる。その結果、第１固定部１１０は、押さえ部材２３０に押さえられないので、凸部１１２と反対側（ｘ方向）に広がることが可能となる。図９に示す状態では、第１固定部１１０は、ｘ方向に広がることができるので、ナット３１０を取り外すことが可能である。押さえ部材２３０は、樹脂の他、金属により構成されていても良い。
【００２６】
このように、本実施形態によれば、本体１００は、ナット３１０の二面幅の相当する間隔を開けて互いに対向して配置される一対の第１固定部１１０を有し、それぞれの第１固定部１１０は、ナット３１０が収納される収納空間１５０の第１固定部の基部１１６と反対側において対向する第１固定部１１０に向かって突出する凸部１１２を有している。第１固定部１１０は、凸部１１２の外側からナット３１０が押し込まれたときに、第１固定部１１０の間隔が広がってナット３１０の挿入を可能にするスナップフィット構造を有しているので、ナット３１０を容易に本体１００の収納空間１５０に収納できる。凸部１１２は、ナット３１０が収納空間１５０に収納された状態で、ナット３１０を収納空間１５０から外れ難くする。さらに、本体１００に蓋２００を閉めると、押さえ部材２３０が、２つの第１固定部１１０の収納空間１５０の反対側に嵌まり、第１固定部１１０の間隔が広がらないように外側から押さえる。ここで、蓋２００を閉めてネジ３００をナット３１０のネジ穴３１５に挿入して蓋を止めようとするとき、ネジ３００の回転によりナット３１０が回転し、第１固定部１１０を広げようとする。しかし、本実施形態では、押さえ部材２３０が、第１固定部１１０の間隔が広がらないように外側から押さえるので、ナット３１０を収納空間１５０から外れ難くできる。
【００２７】
本実施形態によれば、ナット載置部１１４を備えるので、収納空間１５０に収納する前のナット３１０をナット載置部１１４に載置することで、ナット３１０を安定させ、その後、ナット３１０を収納空間１５０に押し込むことで、ナット３１０を容易に収納空間１５０に収納できる。
【００２８】
本実施形態によれば、ネジ穴３１５の方向において、収納空間１５０をｙ方向から挟むように設けられた第２固定部１２０，１２５を有する。その結果、ネジ３００をナット３１０に挿入するときに、ナット３１０がｙ方向に移動しないように、第２固定部１２０，１２５によってナット３１０を固定できる。
【００２９】
本実施形態によれば、第１固定部１１０は、収納空間１５０と反対側の基部１１６にリブ１１８を有する。リブ１１８を備えることで、第１固定部１１０を広がり難くでき、収納空間１５０に収納したナット３１０を外れ難くできる。
【００３０】
・第２実施形態：
図１１は、第２実施形態におけるナット３１０と、ナット収納部１０５の概略構成を示す説明図である。第１実施形態との違いは、第３固定部１３０を備える点である、第３固定部１３０は、第１固定部１１０の収納空間１５０と反対側に、第１固定部１１０と所定の間隔を開けて設けられており、第３固定部１３０と第１固定部１１０との間に押さえ部材２３０（図９）を挿入可能である。
【００３１】
図１２は、第２実施形態における蓋２００を閉めたときのナット収納部１０５近傍の構成を示す説明図である。第１実施形態では、ナット３１０の回転により第１固定部１１０が広がらないように、押さえ部材２３０が第１固定部１１０を外側から押さえた。第２実施形態では、さらに、押さえ部材２３０が広がらないように、第３固定部１３０が、押さえ部材２３０を押さえる。したがって、蓋２００を閉めたとき第１実施形態よりもさらに、ナット３１０を外れ難くできる。なお、蓋２００を開けた時には、第１固定部１１０は、広がることができるため、第１実施形態と同様に、ナット３１０を収納空間１５０に容易に嵌め込み、あるいは、ナット３１０を収納空間１５０から容易に取り外すことができる。すなわち、本実施形態によれば、蓋２００を閉めた状態では、ナット３１０を外れ難くし、蓋２００を開けた状態では、ナット３１０は収納空間１５０に嵌め込まれているが、ナット３１０外そうとすれば容易に外すことができ、ナット３１０の交換を容易にできる。
【００３２】
上記実施形態では、本体１００と蓋２００のうち、一方の本体１００がナット３１０を収納するナット収納部１０５を有する第１部材であり、他方の蓋２００がネジ３００を支持するネジ支持部２１０を有する第２部材であるとして説明したが、逆に、本体１００がネジ３００を支持するネジ支持部２１０を有する第２部材であり、蓋２００がナット３１０を収納するナット収納部１０５を有する第１部材であるとして構成してもよい。
【００３３】
上記実施形態では、ナット３１０がネジ穴３１５の方向に移動しないように、第２固定部１２０，１２５を用いてナット３１０を固定している。第２固定部１２０，１２５を設ける代わりに、第１固定部１１０のネジ穴３１５の方向と平行な方向の大きさを、ナット３１０のネジ穴３１５の方向と平行な方向の大きさよりも大きくし、第１固定部１１０に、ナット３１０をネジ穴３１５の方向の両側から挟むように収納空間１５０方向に突出するフランジを設けても良い。フランジによりナット３１０のネジ穴３１５に沿った方向への移動を抑制できる。
【００３４】
上記実施形態では、ナット３１０として六角ナットを用いたが、三角ナット、四角ナット、五角ナット、七角ナットなどのｎ角ナット（ｎは３以上の整数）であってもよい。なお、ｎは偶数であることが好ましい。ｎが偶数の場合、２つの第１固定部１１０は、ナット３１０の二面幅に相当する間隔で設けられているので、ナット３１０の側面と第１固定部１１０の収納空間１５０側の面とは略平行となり、ナット３１０を一対の第１固定部１１０で固定しやすい。なお、ｎが奇数の場合には、２つの第１固定部１１０は、ナット３１０のｎ個の側面のうちの１つの側面と、ナット３１０のネジ穴３１５の向きと平行なｎ個の辺のうちの１つの側面と最も離れた辺との最短距離に相当する間隔で設けられている。こうすれば、ナット３１０の向きを一定の向きに固定できる。ここで、ｎが偶数のときのナット３１０の二面幅は、ナット３１０のｎ個の側面のうちの１つの側面と、ナット３１０のネジ穴３１５の向きと平行なｎ個の辺のうちの１つの側面と最も離れた辺との最短距離と等しい。従って、ｎが奇数、偶数のいずれであっても、一対の第１固定部１１０は、ナット３１０のｎ個の側面のうちの１つの側面と、ナット３１０のネジ穴３１５の向きと平行なｎ個の辺のうちの１つの側面と最も離れた辺と、の最短距離に相当する間隔で設けられていると言える。
【００３５】
本発明は、上述の実施形態に限られるものではなく、その趣旨を逸脱しない範囲において種々の構成で実現することができる。例えば、発明の概要の欄に記載した各形態中の技術的特徴に対応する実施形態の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００３６】
１０…セキュリティボックス
２０…壁
１００…本体
１０５…ナット収納部
１１０…第１固定部
１１２…凸部
１１４…ナット載置部
１１６…基部
１１８…リブ
１２０、１２５…第２固定部
１３０…第３固定部
１５０…収納空間
２００…蓋
２１０…ネジ支持部
２３０…押さえ部材
２５０…カード検知部
３００…ネジ
３１０…ナット
３１５…ネジ穴
４−４…断面
ｘ…方向
ｙ…方向
ｚ…方向
【図１】
2018170433.tif 000003
【図２】
2018170433.tif 000004
【図３】
2018170433.tif 000005
【図４】
2018170433.tif 000006
【図５】
2018170433.tif 000007
【図６】
2018170433.tif 000008
【図７】
2018170433.tif 000009
【図８】
2018170433.tif 000010
【図９】
2018170433.tif 000011
【図１０】
2018170433.tif 000012
【図１１】
2018170433.tif 000013
【図１２】
2018170433.tif 000014